(57)【要約】【課題】接着部材同士の間からの接着剤のはみ出しを低減することにより、該はみ出した接着剤を仕上げ加工により除去する工程を省くことができる接着部材の接着方法を提供する。【解決手段】接着部材１１，１２同士の少なくとも一方の表面の接着領域に接着剤Ｂを塗布する工程と、接着剤Ｂを介して接着領域１１ａ，１２ａ同士を当接させる工程と、接着領域の間の接着剤Ｂを硬化させて接着部材１１，１２同士を接合する工程と、を少なくとも含む接着部材１１，１２の接着方法であって、少なくとも前記接合工程前に、前記接着領域１１ａから、前記接着領域１１ａに隣接した隣接領域１１ｂに流出する接着剤Ｂを堰き止める堰４０を設ける。【選択図】図１
2009221399.tif 000002
【特許請求の範囲】
【請求項１】
接着部材同士のうち少なくとも一方の表面の接着領域に接着剤を塗布する工程と、該接着剤を介して前記接着領域同士を当接させる工程と、該接着領域の間の前記接着剤を硬化させて前記接着部材同士を接合する工程と、を少なくとも含む接着部材の接着方法であって、
少なくとも前記接合工程前に、前記接着領域に隣接した隣接領域に、前記接着領域から流出する前記接着剤を堰き止める堰を設ける工程を含むことを特徴とする接着部材の接着方法。
【請求項２】
前記堰は、前記接着剤が流出する方向に対して垂直方向に沿って形成された壁面を有することを特徴とする請求項１に記載の接着部材の接着方法。
【請求項３】
前記堰を設ける工程において、突出部が形成された押さえプレートを用いて、該押さえプレートが前記接着部材の所定部位を覆うように前記接着部材を押さえると共に、前記突出部を前記隣接領域に接触させることにより、前記押さえプレートで前記堰が形成されることを特徴とする請求項１又は２に記載の接着部材の接着方法。
【請求項４】
前記接着方法は、前記隣接領域にマスキングテープを貼り付ける工程をさらに含み、前記マスキングテープが貼り付けられた前記隣接領域に、前記堰を設けることを特徴とする請求項１〜３のいずれか一項に記載の接着部材の接着方法。
【請求項５】
前記堰の表面のうち少なくとも前記接着剤と接触する面に、前記接着剤に対して離型性を有する材料を用いることを特徴とする請求項１〜４のいずれか一項に記載の接着部材の接着方法。
【発明の詳細な説明】
【技術分野】
【０００１】
本発明は、接着部材の接着方法に係り、特に、硬化性の接着剤を用いて接着部材を好適に接着することができる接着方法に関する。
【背景技術】
【０００２】
従来から、車両の部品等の接着部材同士のうち少なくとも一方の表面の接着領域に接着剤を塗布し、この接着剤を介して接着領域同士を当接させ、この接着領域間の接着剤を加熱又は自然乾燥等により硬化させて接着部材同士を接合し、接着部材同士を接着することは良く行なわれている。
【０００３】
このような接着方法では、前記当接及び接合の際に、接着領域に隣接した隣接領域（非接着面）に、塗布した接着剤が流れ出す（はみ出す）ことがよくある。この流出した接着剤は、前記隣接領域にある止水シール面やボルトの座面等の一部に付着することがあり、部材の機能を阻害したり、美観性を損なうことがあるため、このはみ出した接着剤を部材から除去すべく仕上げ加工が必要となる場合が多い。
【０００４】
このような点を鑑みて、例えば、図３，４に示すような、マスキング方法が実施されている。具体的には、接着部材１１、１２を接着するにあたって、接着領域１１ａ，１２ａ同士を接合する前に、接着領域１１ａに隣接した隣接領域１１ｂ（非接着面）に、これら領域の境界線Ｈに沿って、マスキングテープ２０を貼り付ける。そして、前記と同様に、接着剤Ｂの塗布から接着部材１１、１２の接合までの一連の工程を行なうことによって、接着部材１１、１２同士の接着を行なう（例えば、特許文献１参照）。
【０００５】
この方法によれば、マスキングテープ２０を用いることにより、止水シール面やボルト（締結部材）６０の座面を含む隣接領域１１ｂに接着剤Ｂが流れ出したとしても、マスキングテープ２０がこれらの面を覆っているので、接着剤Ｂがこれらの面に直接付着することを回避することができる。
【０００６】
また、別の態様では、接着部材の接着領域に一部を折曲させて、接着剤の流出防止用のダム部を設けた接着構造が提案されている（例えば、特許文献２参照）。
【０００７】
【特許文献１】特開平９−１１２２８号公報
【特許文献２】特開２０００−３１３２２９号公報
【発明の開示】
【発明が解決しようとする課題】
【０００８】
しかし、図４（図３のｂ−ｂ断面）に示すように、接着剤を介して接着部材１１，１２同士を当接するときや、当接後の接着剤Ｂを硬化させて接合するときに、接着領域１１ａ，１２ａに配置された接着剤Ｂの一部が、接着部材１１の隣接領域１１ｂに、多量に流れ出ることがある。この流出した接着剤Ｂは、接着部材１１の表面において団子状の接着剤Ｂの塊Ｍとなって硬化することがある。
【０００９】
この結果として、マスキングテープ２０を接着部材１１から剥がそうとしても、接着剤Ｂの塊Ｍが障害となって、マスキングテープ２０を剥がすことができないことがあった。これにより、締結部材６０の表面に直接的に接着剤Ｂが付着しないものの、その表面のマスキングテープ２０を介して接着剤Ｂが残存することになり、結局のところ、団子状の接着剤Ｂの塊Ｍを除去すべく、仕上げ加工が必要となってしまう。
【００１０】
また、特許文献２に示すように、接着剤の流出防止用のダム部を設けたとしても、多量の接着剤が流出しようとした場合には、該ダム部にすべての接着剤を収容することはできない。この場合、ダム部の接着剤を収容できる容量を増量することも考えられるが、ダム部は接着領域の一部を構成しており、該増量により前記接着部材の形状を変えてしまうおそれがある。
【００１１】
本発明は、上記する問題に鑑みてなされたものであり、その目的とするところは、接着部材同士の間からの接着剤のはみ出しを低減することにより、該はみ出した接着剤を仕上げ加工により除去する工程を省くことができる接着部材の接着方法を提供することにある。
【課題を解決するための手段】
【００１２】
前記課題を解決すべく、本発明に係る接着部材の接着方法は、接着部材同士のうち少なくとも一方の表面の接着領域に接着剤を塗布する工程と、該接着剤を介して前記接着領域同士を当接させる工程と、該接着領域の間の前記接着剤を硬化させて前記接着部材同士を接合する工程と、を少なくとも含む接着部材の接着方法であって、少なくとも前記接合工程前に、前記接着領域に隣接した隣接領域に、前記接着領域から流出する前記接着剤を堰き止める堰を前記隣接領域に設けることを特徴とするものである。
【００１３】
本発明によれば、接着剤を少なくとも加熱などにより硬化させる前に、前記接着領域から、非接着面である前記隣接領域に流れ出す接着剤を堰き止める堰を前記隣接領域に設けたので、流出する接着剤が、非接着面に付着することを抑制することができる。この結果、接着剤の除去を目的とした仕上げ加工を排除することも可能である。
【００１４】
このような堰としては、流出する接着剤を堰き止めることができるものであれば、特に、その形状は限定さえるものではないが、より好ましくは、本発明に係る接着部材の接着方法において、前記堰は、前記接着剤が流出する方向に対して垂直方向に沿って形成された壁面を有することがより好ましい。
【００１５】
このような壁面を有した堰を用いることにより、非接着面である隣接領域に接着剤が流出したとしても、接着剤は非接着面に沿って広がることなく、前記接着剤が流出する方向に対して垂直方向に形成された壁面に沿って広がる。この結果、接着剤の付着が望ましくない部位に接着剤が流れ、その部位に接着剤が付着して硬化することを確実に低減することができる。さらに、前記壁面は、結果として、接着部材の表面に対して垂直方向に形成されることになるので、接着（接合）後に接着部材から前記堰を容易に取り除くことができる。
【００１６】
本発明でいう「接着剤が流出する方向」とは、接着領域から隣接領域に流れる接着剤の流れ方向をいい、具体的には、堰を設けないときに接着剤が流れる隣接領域の表面に沿った方向をいう。
【００１７】
本発明に係る接着部材の接着方法は、前記堰を設ける工程において、突出部が形成された押さえプレートを用いて、該押さえプレートが前記接着部材の前記隣接領域のうち所定部位を覆うように前記接着部材を押さえると共に、前記突出部を前記隣接領域に接触させることにより、前記押さえプレートで前記堰が形成されることがより好ましい。
【００１８】
本発明によれば、押さえプレートにより接着部材を押さえ、突出部が隣接領域を押圧して接触することにより、突出部が、流出する接着剤を堰き止める堰となる。これにより、押さえプレートが覆われた所定の部位、すなわち、本来マスキングテープを貼り付けるべき接着剤を付着させたくない所望の部位に、接着剤が流れ込むことを抑制することができる。さらに、押さえプレートはプレート状の部材であることから、接着（接合）後に接着部材から押さえプレートを容易に取り除くことができる。
【００１９】
また、押さえプレートで押える対象である接着部材の表面に接触させる際には、突出部とこの接着部材との間に隙間が形成されないことが好ましい。しかし、押さえプレートの配置によっては、突出部を含む押さえプレートの一部表面が、接着部材の凹凸のある表面に接触して、前記隙間が形成されることがある。このため、押さえプレートの突出部の見切りと接着部材の合わせが容易になるように、接着部材に対する突出部の接触幅がより狭いことが好ましい。
【００２０】
より好ましくは、本発明に係る接着部材の接着方法は、前記押さえプレートとして、前記突出部が、前記接着部材に対して線接触するように形成された押さえプレートを用いる。本発明によれば、前記押さえプレートを用いることにより、押さえプレートと接着部材との位置合わせが容易となり、突出部と接着部材との間の隙間の形成を回避するばかりでなく、突出部が接着部材に対して線接触するので、押さえプレート押圧時の突出部と接着部材との接触圧力を高められ、これらの間に接着剤が入り込むことを確実に防止することができる。
【００２１】
本発明に係る接着部材の接着方法は、前記隣接領域にマスキングテープを貼り付ける工程をさらに含み、前記マスキングテープが貼り付けられた前記隣接領域に、前記堰を設けることがより好ましい。
【００２２】
本発明によれば、前記堰を設ける前にマスキングテープを貼り付けることにより、たとえ隣接領域に接着剤が流れ込んだとしても、堰を越えて流れ込む接着剤の量はわずかであるので、マスキングテープに付着する接着剤は団子状の塊にならない。これにより、マスキングテープと共に該マスキングテープに付着した接着剤を容易に取り除くことができる。
【００２３】
また、本発明にいう「マスキングテープ」とは、マスキング粘着テープのことをいい、接着部材の非接着面に貼り付けることができ、接着後に剥がすことができる粘着面を有したテープであれば特に限定されるものではなく、粘着面と反対面は、接着剤に対して離型性を有するものがより好ましい。
【００２４】
本発明に係る接着部材の接着方法は、前記堰の表面のうち少なくとも前記接着剤と接触する面に、前記接着剤に対して離型性を有する材料を用いることがより好ましい。
【００２５】
本発明によれば、接着剤に対して離型性を有する材料を用いることにより、接着部材同士の接合（接着）後、堰（押さえプレートを用いた場合にはそのプレートの突出部）を、接着部材から容易に取り除くことができる。
【００２６】
このような、離型性を有する材料としては、オレフィン系樹脂、シリコーン系樹脂、フッ素系樹脂などを挙げることができ、たとば、ポリプロピレン樹脂、ポリカーボネート樹脂、ポリスチレン樹脂、ポリアミド樹脂、ポリアミドイミド樹脂、ポリエチレン樹脂、ポリ塩化ビニル樹脂、ポリエチレンテレフタレート樹脂などの合成樹脂を挙げることができ、付着した接着剤を容易に剥がすことができるものであれば、特に限定されるものではない。
【発明の効果】
【００２７】
本発明によれば、接着部材同士の間からの接着剤のはみ出しを低減することにより、該はみ出した接着剤を仕上げ加工により除去する工程を省くことができる。
【発明を実施するための最良の形態】
【００２８】
以下に、図面を参照して、本発明に係る接着部材の接着方法の実施形態に基づいて説明する。
【００２９】
図１は、本実施形態に係る接着部材の接着方法を説明するための図であり、（ａ）は、マスキングテープを貼り付ける工程を説明するための図であり、（ｂ）は、堰を設ける工程を説明するための図であり、（ｃ）は、接着剤を塗布する工程を説明するための図であり、（ｄ）は、接着部材同士を接合する工程を説明するための図である。さらに、図２は、図１の工程（ｄ）を説明するための斜視図である。なお、図２のａ−ａ断面図が、図１（ｄ）に相当する。
【００３０】
本実施形態に係る接着方法は、図２に示すように、一対の接着部材１１，１２同士を、接着剤Ｂを用いて接着する方法である。図１（ａ）に示すように、接着部材１１の表面は、接着部材１２と接着するための接着領域１１ａを有しており、この接着領域１１ａと隣接する隣接領域（非接着面）１１ｂには、締結部材６０が存在する。まず、図１（ａ）に示すように、締結部材６０を含む隣接領域１１ｂにマスキングテープ２０を貼り付ける。マスキングテープ２０の張り付け位置は、隣接領域１１ｂのうち、接着剤Ｂが接着領域１１ａからはみ出すおそれのある位置である。なお、マスキングテープ２０は、接着作業時に用いられる一般的に知られたテープでよい。
【００３１】
次に、図１（ｂ）に示すように、押さえプレート３０を用いて、接着部材１１の接着領域１１ａから、接着領域１１ａに隣接した隣接領域１１ｂに流出する接着剤Ｂを堰き止めるための堰４０を設ける。
【００３２】
押さえプレート３０は、プレート部３１と、接着剤Ｂの流出防止用の壁面３２ａが形成された突出部３２と、を有している。この押さえプレート３０を用いて、押さえプレート３０のプレート部３１が接着部材１１のマスキングした所定部位（締結部材６０の表面等の接着剤Ｂの付着が望ましくない位置）を覆い、マスキングテープ２０が貼り付けられた隣接領域１１ｂに、突出部３２が接触して堰４０を形成するように、押さえプレート３０を接着部材１１に配置する。そして、この姿勢を維持して、押さえプレート３０により接着部材１１を押さえる。また、この押さえプレート３０は、図２に示すように、接着領域１１ａに沿った形状となっている。
【００３３】
このとき、突出部３２を接着部材１１に接触させる際には、突出部３２と接着部材１１との間に隙間が形成されないことが好ましい。しかし、押さえプレート３０の配置によっては、突出部３２を含む押さえプレート３０の一部表面が、接着部材１１の凹凸のある表面に接触して、隙間が形成されることがある。このため、押さえプレート３０の突出部３２の見切りと接着部材１１の合わせが容易になるように、接着部材１１に対する突出部３２の接触幅（当り幅）Ｄは、より狭いことが好ましく、突出部３２を、接着部材１１に対して線接触させることがより好ましい。
【００３４】
押さえプレート３０を用いて、この接触状態を確保することにより、押さえプレート３０と接着部材１１との位置合わせが容易となり、突出部３２と接着部材１１との間の隙間の形成を回避するばかりでなく、押さえプレート３０の押圧時の突出部３２と接着部材１１との接触圧力を高め、これらの間に接着剤Ｂが入り込むことを確実に防止することができる。
【００３５】
さらに、堰４０の壁面３２ａは、図１（ｄ）において後述する接着剤Ｂが流出する流出方向Ｆに対して、垂直方向Ｖに沿って形成されており、この流出方向Ｆは、接着領域１１ａの表面に沿った方向であり、これに対する垂直方向Ｖは、接着領域１１ａの表面の法線方向と一致している。
【００３６】
また、堰４０を形成する突出部３２の表面のうち、堰４０を形成する壁面３２ａなど、接着剤Ｂを接触する面には、接着剤Ｂに対して離型性を有する材料が用いられている。例えば、このような離型性を有する材料としては、シリコーン樹脂、ポリエチレンテレフタレート樹脂などの高分子樹脂などを挙げることができ、これらの樹脂が表面にライニング又はコーティングされていてもよく、押さえプレートそのものがこれらの樹脂からなってもよい。
【００３７】
次に、図１（ｃ）に示すように、接着部材１１に接着される接着部材１２の接着領域１２ａに接着剤Ｂを塗布する。本実施形態では、接着領域１２ａに接着剤Ｂを塗布したが、図１（ｂ）に示す状態で、接着部材１１の接着領域１１ａに接着剤Ｂを塗布しても良く、接着領域１１ａ，１２ａの双方に、接着剤Ｂを塗布してもよい。また、接着剤Ｂは、加熱や乾燥をさせることにより接着領域１１ａ，１２ａの接着性を確保することができるものであれば、特にその種類は限定されるものではないが、より好ましい接着剤としては、熱硬化性樹脂からなる接着剤である。熱硬化性樹脂からなる接着剤を用いることにより、後述するオーブンなどで接着剤の加熱を行なえば、短時間で接着部材同士を接着することができるからである。
【００３８】
そして、図１（ｄ）に示すように、接着剤Ｂを介して接着領域１１ａと接着領域１２ａとを当接させる。この際、押えプレート３０の壁面３２ａと接着部材１２の端面１２ｃは、全面で当接していることが望ましいが、図１（ｄ）に示すように、一部において隙間Ｌが形成されていてもよい。
【００３９】
そして、接着領域１１ａ、１２ａ同士の当接した姿勢を維持し、接着領域１１ａ，１２ａの間の接着剤Ｂをオーブンなどにより加熱して、接着部材１１、接着部材１２を接合する。最後に、押さえプレート３０を接着部材１１から取り除き接着部材１１、１２の接着を行なうことができる。
【００４０】
このようにして、接着部材１１，１２の接着を行なうことにより、接着部材１１、１２同士の間からの接着剤のはみ出しを低減することにより、はみ出した接着剤を仕上げ加工等で除去する工程を省くことができる。
【００４１】
具体的には、接着領域１１ａから、締結部材６０の表面を含む非接着面である隣接領域１１ｂに流れ出す接着剤Ｂを堰き止める堰４０を設けたので、流出する接着剤Ｂがマスキングテープ２０を貼り付けた非接着面に付着することを抑制することができる。この結果、接着後の接着剤の除去を目的とした仕上げ加工を排除することも可能である。
【００４２】
さらに、押さえプレート３０の突出部３２により、堰４０の壁面３２ａを流出方向Ｆに対して垂直方向Ｖに沿って形成されるようにしたので、非接着面である隣接領域に接着剤が流出したとしても、接着剤Ｂは非接着面に沿って広がることなく、図１（ｄ）に示すように、接着剤Ｂが流出する流出方向Ｆに対して垂直方向に形成された壁面３２ａに沿って広がった、はみ出し部分Ｂ１が形成されるので、このはみ出し部分Ｂ１は除去する必要はない。
【００４３】
この結果、接着剤Ｂがマスキングテープ２０を貼り付けた部位に流れ難くなる。さらに、壁面３２ａは、接着部材１１の隣接領域１１ｂの表面に対して垂直方向に形成されることになるので、接着（接合）後に接着部材１１から堰４０（押さえプレート３０）を容易に取り除くことができる。また、押さえプレート３０のプレート部３１を設けたことにより、接着部材１１から押さえプレート３０をさらに容易に取り除くことができる。
【００４４】
また、押さえプレート３０により堰４０を設ける前に、マスキングテープ２０を貼り付けることにより、たとえ隣接領域１１ｂに接着剤Ｂが流れ込んだとしても、堰４０を越えて流れ込む接着剤Ｂの量はわずかであるので、マスキングテープ２０に付着する接着剤Ｂは団子状の塊にならない。これにより、マスキングテープ２０と共に該マスキングテープ２０に付着した接着剤Ｂを容易に取り除くことができる。
【００４５】
以上、本発明の実施の形態を図面を用いて詳述してきたが、具体的な構成はこの実施形態に限定されるものではなく、本発明の要旨を逸脱しない範囲における設計変更があっても、それらは本発明に含まれるものである。
【００４６】
本実施形態では、マスキングテープを貼り付ける工程、堰を設ける工程、接着剤を塗布する工程の順に行ったが、堰を設ける工程が接合工程の前にあれば、これらの工程の順序が入れ替ってもよい。また、隣接領域への接着剤の流入を、堰を設けることにより防止することができるのであれば、マスキングテープを貼り付ける工程を省略してもよい。
【００４７】
また、本実施形態では、押さえプレート３０と、接着部材１２とを当接させるように、両者を配置したが、押さえプレート３０と接着部材１２との間に、流出した（はみ出した）接着剤を収容するために、所定の隙間を設けてもよい。
【産業上の利用可能性】
【００４８】
本発明に係る接着部材の接着方法は、たとえば、接着剤の替わりに、コーキング剤、シール剤を用いて、部材間の隙間を埋める場合に利用することも可能である。
【図面の簡単な説明】
【００４９】
【図１】本実施形態に係る接着部材の接着方法を説明するための図であり、（ａ）は、マスキングテープを貼り付ける工程を説明するための図であり、（ｂ）は、堰を設ける工程を説明するための図であり、（ｃ）は、接着剤を塗布する工程を説明するための図であり、（ｄ）は、接着部材同士を接合する工程を説明するための図。
【図２】図１の工程（ｄ）を説明するための斜視図。
【図３】従来の接着方法を説明するための斜視図。
【図４】図３のｂ−ｂ断面図。
【符号の説明】
【００５０】
１１：接着部材、１１ａ：接着領域、１１ｂ：隣接領域、１２：接着部材、２０：マスキングテープ、３０：押さえプレート、４０：堰、６０：締結部材、Ｂ：接着剤、Ｄ：接触幅（当たり幅）、Ｆ：流出方向、Ｖ：垂直方向
【図１】
2009221399.tif 000003
【図２】
2009221399.tif 000004
【図３】
2009221399.tif 000005
【図４】
2009221399.tif 000006